(57)【特許請求の範囲】
【請求項１】
平板部及び該平板部の外周を覆う側壁部を有する筐体と、
上記平板部正面側に配置されるメインキーと、
上記側壁部外面側に配置されるサイドキーと、
上記メインキーと上記平板部との間に配置され、該メインキーに対応して表面側にメインキー用接点を有するキー用フレキシブル基板と、
上記側壁部外面側に形成され、上記サイドキーが配置されるサイドキー配置用凹部と、
上記キー用フレキシブル基板から延び、上記平板部に形成したフレキ挿通用貫通孔を通って折り返されるフレキケーブル部と、
上記フレキケーブル部に連続し、表面側に上記サイドキーに対応してサイドキー用接点を有し、上記フレキケーブル部が湾曲して折り曲げられた状態で、該サイドキー用接点が上記側壁部外面側となるように上記サイドキー配置用凹部の内面側に配置されるサイドキー用延長部と、
上記サイドキー用延長部の裏面側に接合されるサイドキーパッキンと、
上記サイドキー配置用凹部の内面側に形成され、上記サイドキーパッキンが係止されるパッキン係止部と、
上記サイドキー配置用凹部の内面側に凹陥され、上記サイドキーパッキンがパッキン係止部に係止された状態で、上記湾曲したフレキケーブル部が収容されるフレキケーブル部収容凹部とを備える
ことを特徴とする携帯端末。
【請求項２】
請求項１に記載の携帯端末において、
上記サイドキーパッキンの両側端における上記フレキケーブル部側には、係止爪が形成され、該係止爪が上記パッキン係止部に係止される
ことを特徴とする携帯端末。
【請求項３】
請求項１又は２に記載の携帯端末において、
上記フレキケーブル部の少なくとも長手方向中間の１箇所には、切り欠かれて幅が狭くなり、折り曲がりやすくなった折曲部が形成されている
ことを特徴とする携帯端末。
【発明の詳細な説明】
【技術分野】
【０００１】
本発明は、筐体側面にサイドキーを有する携帯電話機などの携帯端末に関するものである。
【背景技術】
【０００２】
従来より、この種の携帯端末として、操作ボタン挿通孔が設けられた筐体と、筐体内部に収納されるシャーシと、フレキスイッチが配置されシャーシに取り付けられるフレキケーブルと、コネクタが設けられた回路基板とフレキスイッチと筐体との間に配設される操作ボタンとよりなり、フレキケーブルには、シャーシと密着する平面部と、端部にコネクタ接続部が設けられた平ケーブル部とを有し、この平ケーブルを折り曲げてコネクタ接続部をコネクタに接続させる様に構成した電子機器が知られている（例えば、特許文献１参照）。
【０００３】
この電子機器では、フレキケーブルがシャーシから浮き上がるのを防止するフレキケーブル抑え部をシャーシに設けている。
【先行技術文献】
【特許文献】
【０００４】
【特許文献１】特開２００１−２４５０３２号公報
【発明の概要】
【発明が解決しようとする課題】
【０００５】
ところで、近年の携帯電話機などでは操作性をよくするために正面側の操作ボタンだけでなく、筐体側面にサイドキーを設けることがある。この場合、サイドキーに対応した接点を有する延長されたフレキシブル基板を設ける必要がある。この延長されたフレキシブル基板を折り返してサイドキーの内面側に配置させやすくするために、フレキケーブルが長くなる。すると、上記特許文献１のようなフレキケーブル抑え部を設けても、フレキケーブルが折り返し部分で余ってしまい、この部分が組立時に筐体に噛み込まれたり、サイドキーの可動部分に接触して経年劣化したりして損傷するおそれがある。
【０００６】
本発明は、かかる点に鑑みてなされたものであり、その目的とするところは、サイドキーの設置場所へ延びるフレキケーブル部を組み込みやすく、損傷しがたいものにすることにある。
【課題を解決するための手段】
【０００７】
上記の目的を達成するために、この発明では、湾曲したフレキケーブル部を収容するフレキケーブル部収容凹部をサイドキー配置用凹部の内面側に設けた。
【０００８】
具体的には、第１の発明では、
平板部及び該平板部の外周を覆う側壁部を有する筐体と、
上記平板部正面側に配置されるメインキーと、
上記側壁部外面側に配置されるサイドキーと、
上記メインキーと上記平板部との間に配置され、該メインキーに対応して表面側にメインキー用接点を有するキー用フレキシブル基板と、
上記側壁部外面側に形成され、上記サイドキーが配置されるサイドキー配置用凹部と、
上記キー用フレキシブル基板から延び、上記平板部に形成したフレキ挿通用貫通孔を通って折り返されるフレキケーブル部と、
上記フレキケーブル部に連続し、表面側に上記サイドキーに対応してサイドキー用接点を有し、上記フレキケーブル部が湾曲して折り曲げられた状態で、該サイドキー用接点が上記側壁部外面側となるように上記サイドキー配置用凹部の内面側に配置されるサイドキー用延長部と、
上記サイドキー用延長部の裏面側に接合されるサイドキーパッキンと、
上記サイドキー配置用凹部の内面側に形成され、上記サイドキーパッキンが係止されるパッキン係止部と、
上記サイドキー配置用凹部の内面側に凹陥され、上記サイドキーパッキンがパッキン係止部に係止された状態で、上記湾曲したフレキケーブル部が収容されるフレキケーブル部収容凹部とを備える。
【０００９】
上記の構成によると、キー用フレキシブル基板から延びるフレキケーブル部と、これに連続するサイドキー用延長部とを筐体の平板部に形成したフレキ挿通用貫通孔に通し、フレキケーブル部を折り返し、サイドキー用延長部に接合されたサイドキーパッキンをパッキン係止部に係止するときに、湾曲したフレキケーブル部がフレキケーブル部収容凹部に収容されるので、フレキケーブル部を折り返しやすいように、その長さを長めにしても、折り返し部分を挟み込んだり、サイドキーの使用時に噛み込んだりすることがない。
【００１０】
第２の発明では、第１の発明において、
上記サイドキーパッキンの両側端における上記フレキケーブル部側には、係止爪が形成され、該係止爪が上記パッキン係止部に係止される。
【００１１】
上記の構成によると、サイドキーパッキンの係止爪がパッキン係止部に引っ掛かるので、湾曲したフレキケーブル部の弾性によりサイドキーパッキンが外れてしまうことがない。このため、サイドキーパッキンを仮止めした状態で組付が可能なため、サイドキーパッキンが緩まず、また、フレキケーブル部を噛み込まないので、組付が容易である。
【００１２】
第３の発明では、第１又は第２の発明において、
上記フレキケーブル部の少なくとも長手方向中間の１箇所には、切り欠かれて幅が狭くなり、折り曲がりやすくなった折曲部が形成されている。
【００１３】
上記の構成によると、フレキケーブル部の折れ曲がる部分が折曲部に特定されるので、フレキケーブル部を確実にフレキケーブル部収容凹部に収容することができる。また、折曲部でサイドキー用延長部を捩ってフレキ挿通用貫通孔を通過させやすい。
【発明の効果】
【００１４】
以上説明したように、本発明によれば、携帯端末のサイドキー配置用凹部の内面側にフレキケーブル部収容凹部を凹陥し、このフレキケーブル部収容凹部にサイドキーパッキンがパッキン係止部に係止された状態で湾曲したフレキケーブル部を収容するようにしたことにより、サイドキーに対応するフレキケーブル部を組み込みやすく、損傷しがたいものにすることができる。
【図面の簡単な説明】
【００１５】
【図１】図５のＩ部拡大断面図である。
【図２】携帯電話機を閉じた状態を示す斜視図である。
【図３】携帯電話機を開いた状態を示す斜視図である。
【図４】第２の筐体の正面図である。
【図５】図４のＶ−Ｖ線拡大断面図である。
【図６】図４のVI−VI線拡大断面図である。
【図７】図６のVII部拡大断面図である。
【図８】第２の筐体及びその内部の分解斜視図である。
【図９】正面側キャビネットを正面側から見た斜視図である。
【図１０】背面側キャビネット及びサイドキーを正面側から見た分解斜視図である。
【図１１】取付状態のキー用フレキシブル基板を示す斜視図である。
【図１２】取付前のキー用フレキシブル基板を示す正面図である。
【図１３】正面側キャビネットを右側面側から見たサイドキー配置用凹部の拡大斜視図である。
【図１４】正面側キャビネットを背面側から見たフレキケーブル部収容凹部の拡大斜視図である。
【図１５】サイドキーパッキンを示す斜視図である。
【発明を実施するための形態】
【００１６】
以下、本発明の実施形態を図面に基づいて説明する。
【００１７】
図２及び図３は、本発明の実施形態の携帯端末としての携帯電話機１を示し、この携帯電話機１は、正面側に表示部２を有する第１の筐体３と、正面側に操作部４を有する第２の筐体５とがヒンジ部６を中心に折畳み可能に連結されている。
【００１８】
図４〜図９に示すように、第２の筐体５は、筐体としての正面側キャビネット５ａと、この正面側キャビネット５ａに背面側から嵌め込まれる背面側キャビネット５ｂとを有する。正面側キャビネット５ａと背面側キャビネット５ｂとの間の接合面には、ゴム等よりなるシール部材５ｃが挟み込まれている。正面側キャビネット５ａは、ステンレスシートなどよりなる平板部７と、この平板部７の外周を覆うように、この平板部７と共に一体成形される樹脂製の側壁部８とを有する。なお、平板部７はステンレス以外の金属シートでもよく、樹脂製でもよい。この平板部７の正面側には、ファンクションキー、テンキーなどの操作キー９ａが複数配置されたシート状のメインキー９が配置されている。
【００１９】
そして、図１０にも示すように、携帯電話機１は、側壁部８の外面側に配置されるサイドキー１０を備えている。例えば、このサイドキー１０は、それぞれ内面側に突起１０ｃを有する一対の音量調整キー１０ａと、フラッシュキー１０ｂとを備えている。サイドキー１０の内面側には、シリコーンゴム等よりなるサイドキーシート１０ｄが配置されている。
【００２０】
メインキー９と平板部７との間には、図１１及び図１２に示すように、メインキー９の操作キー９ａに対応して表面側にメインキー用接点１１ａが配置されたキー用フレキシブル基板１１が挟み込まれている。
【００２１】
一方、平板部７の背面側には、携帯電話機１全体の制御を行うメイン基板１２が嵌め込まれている。このメイン基板１２には、キー用フレキシブル基板１１の表面側から見て右側の接続用ケーブル１１ｂが接続されている。メイン基板１２の背面側には、バッテリー１３が内蔵され、このバッテリー１３は、バッテリーカバー１４によって覆われている。
【００２２】
そして、図１３に拡大して示すように、側壁部８におけるサイドキー１０に対応する部分の外面側には、サイドキー１０が配置されるサイドキー配置用凹部１５が右側方から見て略矩形状に凹陥されている。サイドキー配置用凹部１５の底部には、一対の音量調整キー１０ａ及びフラッシュキー１０ｂの突起１０ｃに対応させて、３つの操作用貫通孔１５ａが形成されている。
【００２３】
図１２に示すように、キー用フレキシブル基板１１における接続用ケーブル１１ｂの下側には、フレキケーブル部１６が延びている。このフレキケーブル部１６には、サイドキー用延長部１７がフレキケーブル部１６に対して垂直に連続している。このことで、フレキケーブル部１６及びサイドキー用延長部１７がＴ字状にキー用フレキシブル基板１１に延びている。
【００２４】
一方、図９及び図１４に示すように、平板部７には、サイドキー用延長部１７に対応させてサイドキー用延長部１７よりも若干長さの長いスリット状のフレキ挿通用貫通孔７ａが設けられている。図１１に示すように、サイドキー用延長部１７の表面側には、一対の音量調整キー１０ａ及びフラッシュキー１０ｂに対応させて３つのサイドキー用接点１７ａが配置されている。サイドキー用延長部１７の裏面側には、例えばＡＢＳ樹脂の成形品よりなる矩形板状のサイドキーパッキン１８が両面テープ等により接合されている。図１５に拡大して示すように、サイドキーパッキン１８は、フレキケーブル部１６に対応させて切り欠かれた切欠部１８ａが形成されている。また、サイドキーパッキン１８の両端は、薄肉にされた被係止部１８ｂが形成され、その切欠部１８ａ側には、鉤状の係止爪１８ｃが形成されている。
【００２５】
図１２に示すように、フレキケーブル部１６のサイドキー用延長部１７との接続部分は、両側が丸く切り欠かれた第１折曲部１６ａが形成されている。そして、フレキケーブル部１６の長手方向中間の１箇所には、両側が切り欠かれて幅が狭くなり、折り曲がりやすくなった第２折曲部１６ｂが形成されている。
【００２６】
そして、図１４に示すように、サイドキー配置用凹部１５の内面側には、左側方から見て略矩形状にフレキケーブル部収容凹部２０が凹陥されている。フレキケーブル部収容凹部２０の両側には、背面から見てＬ字状のパッキン係止部１９が突設されている。パッキン係止部１９の平板部７側は切り欠かれて切欠１９ａが形成されている。図７に示すように、パッキン係止部１９に被係止部１８ｂが背面側から挿入され、パッキン係止部１９の切欠１９ａに係止爪１８ｃが係止されることで、サイドキーパッキン１８が仮固定されるようになっている。このとき、図１に示すように、フレキケーブル部１６がフレキ挿通用貫通孔７ａを通って第１折曲部１６ａ及び第２折曲部１６ｂで折り曲げられて湾曲し、フレキケーブル部収容凹部２０に収容されている。この状態で、サイドキー用接点１７ａが側壁部８の外面側に配置されるようになっている。
【００２７】
−携帯電話機の組立手順−
次に、本実施形態にかかる携帯電話機１の組立手順について簡単に説明する。
【００２８】
まず、図８に示すように、正面側キャビネット５ａの正面側にキー用フレキシブル基板１１を取り付ける。そのとき、キー用フレキシブル基板１１から延びるフレキケーブル部１６と、これに連続するサイドキー用延長部１７とをサイドキーパッキン１８を持って平板部７に形成したフレキ挿通用貫通孔７ａに通す。フレキケーブル部１６には、第１折曲部１６ａ及び第２折曲部１６ｂが形成されているので、これら第１折曲部１６ａ及び第２折曲部１６ｂの部分でフレキケーブル部１６を捩りながらサイドキーパッキン１８がフレキ挿通用貫通孔７ａを通過させる。
【００２９】
次いで、図７に示すように、背面側からサイドキーパッキン１８の被係止部１８ｂをパッキン係止部１９へ挿入し、係止爪１８ｃを、その切欠１９ａに係止させる。すると、図１に示すように、フレキケーブル部１６の第１折曲部１６ａ及び第２折曲部１６ｂの２箇所において、フレキケーブル部１６が折り返されて全体が下方から見てＵ字状に湾曲し、この湾曲した部分がフレキケーブル部収容凹部２０に収容される。このように、フレキケーブル部１６の折れ曲がる部分が特定されるので、フレキケーブル部１６を確実にフレキケーブル部収容凹部２０に収容することができる。また、係止爪１８ｃが係止されてサイドキーパッキン１８が仮止めされているので、湾曲したフレキケーブル部１６の弾性によりサイドキーパッキン１８が外れてしまうことがない。また、フレキケーブル部１６を折り返しやすいように、その長さを長めにしても、フレキケーブル部１６がフレキケーブル部収容凹部２０に収容されて飛び出さない。
【００３０】
次いで、メイン基板１２を平板部７の背面側に取り付け、シール部材５ｃを挟み込むようにしてサイドキー１０を取り付けた背面側キャビネット５ｂを正面側キャビネット５ａに嵌め込む。このとき、サイドキーパッキン１８がパッキン係止部１９に仮止めされ、フレキケーブル部１６がフレキケーブル部収容凹部２０に確実に収容されているので、フレキケーブル部１６を挟み込むことはなく、組付が極めて容易である。
【００３１】
このように組み立てられた携帯電話機１のサイドキー１０を使用すると、押された突起１０ｃが操作用貫通孔１５ａを通ってサイドキー用接点１７ａに接触し、フレキケーブル部収容凹部２０に収容されたフレキケーブル部１６を通った信号がメイン基板１２に伝達される。サイドキー１０を使用したときも突起１０ｃによってフレキケーブル部１６が押されて傷むことはない。
【００３２】
したがって、本実施形態にかかる携帯電話機１によると、サイドキー配置用凹部１５の内面側にフレキケーブル部収容凹部２０を凹陥し、サイドキーパッキン１８がパッキン係止部１９に係止された状態で湾曲したフレキケーブル部１６をフレキケーブル部収容凹部２０に収容するようにしたことにより、サイドキー１０に対応するフレキケーブル部１６を組み込みやすく、損傷しがたいものにすることができる。
【００３３】
（その他の実施形態）
本発明は、上記実施形態について、以下のような構成としてもよい。
【００３４】
すなわち、上記実施形態では、サイドキー１０は、第２の筐体５の右側の側壁部８の外面側に配置されているが、その位置や用途は特に限定されない。また、サイドキー１０のキーの数は限定されない。サイドキー１０は、キー用フレキシブル基板１１から延びるフレキケーブル部１６に連結されたサイドキー用延長部１７を押圧するキーであればよい。
【００３５】
上記実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【００３６】
なお、以上の実施形態は、本質的に好ましい例示であって、本発明、その適用物や用途の範囲を制限することを意図するものではない。
【符号の説明】
【００３７】
１      携帯電話機（携帯端末）
５ａ    正面側キャビネット（筐体）
７      平板部
７ａ    フレキ挿通用貫通孔
８      側壁部
９      メインキー
１０      サイドキー
１１      キー用フレキシブル基板
１１ａ    メインキー用接点
１５      サイドキー配置用凹部
１６      フレキケーブル部
１６ａ    第１折曲部
１６ｂ    第２折曲部
１７      サイドキー用延長部
１７ａ    サイドキー用接点
１８      サイドキーパッキン
１８ｃ    係止爪
１９      パッキン係止部
２０      フレキケーブル部収容凹部
【図１】
0005432870.tif 000002
【図２】
0005432870.tif 000003
【図３】
0005432870.tif 000004
【図４】
0005432870.tif 000005
【図５】
0005432870.tif 000006
【図６】
0005432870.tif 000007
【図７】
0005432870.tif 000008
【図８】
0005432870.tif 000009
【図９】
0005432870.tif 000010
【図１０】
0005432870.tif 000011
【図１１】
0005432870.tif 000012
【図１２】
0005432870.tif 000013
【図１３】
0005432870.tif 000014
【図１４】
0005432870.tif 000015
【図１５】
0005432870.tif 000016